(57)【要約】      （修正有）【課題】歯ブラシ殺菌洗浄だけでなく、美顔機としても使用できるマルチ用途歯ブラシ殺菌洗浄器を提供する。【解決手段】歯ブラシ入れ８又は美顔器と、内部に蒸気鍋２を設けた台座１本体及び温度コントロール・スイッチ３とを含み、蒸気鍋は、オープンスロットの８２２下方に設けられ、且つ蒸気鍋の上蓋２１には回転ツマミ式可動ノズル６をオープンスロットに対向して結合し、回転ツマミを開いて、水を蒸気鍋の中にいれる；回転ツマミを閉じた時は、前記蒸気鍋において発生した高温蒸気が前記回転ツマミ式ノズルを経由してオープンスロットの中の歯ブラシ入れ又は美顔器に向かって噴出し、殺菌を行う、更に、温度コントロール・スイッチ及び温度ヒューズ３２によって、自動的にシャットダウンする機能を果たし、蒸気鍋の中に水がないとき、ヒーターが持続して加熱することを避けることが出来る。【選択図】図５Ａ
0003107488.tif 000002
【実用新案登録請求の範囲】
【請求項１】
少なくとも位置決め柱を結合した台座と、
鍋本体の上に鍋蓋を被せ、前記鍋蓋上に上方向の噴水口を有するノズルを結合した注水口を設け、前記鍋蓋の片側には、電源コード及びリセットボタン付の温度コントロール・スイッチを連結した結合プレートを設けた、蒸気鍋と、
蒸気鍋と台座とが一定の間隔を持つように設置した、位置決め柱と、
蒸気鍋と台座との間に位置し、蒸気鍋の底面に当接し、温度コントロール・スイッチと連接し、温度コントロール・スイッチによってオン・オフを制御が可能な、ヒーターと、
蒸気鍋の鍋本体底辺に位置付け、ヒーターと電気的に接続した温度ヒューズと、
下方結合部を備え、前記ノズルがその中に突出した結合スロットと、片側に貫通孔と、前記貫通孔から突出したリセットボタンとを有し、台座上に搭載した、台座本体と、
結合可能な上部カバーと下部カバーとを有し、下部カバーの底辺部には台座本体の結合機構に対応した上方結合部を設け、前記結合スロットに直立設置可能で、且つ下部カバー底辺には少なくとも周辺に導孔を環設したオープンスロットを設け、前記オープンスロットがノズルと対応するようにした、歯ブラシ入れと、を有し、
前記ヒーターを設定温度まで加熱すると、温度コントロール・スイッチが直ちに自動的にヒーターを停止し、リセットボタンをリセットすることによってのみ、ヒーターの再度加熱が可能となり、
温度コントロール・スイッチに問題が生じた場合は、温度ヒューズによってヒーターを停止し、二重安全対策とすることを特徴とする、
マルチ用途歯ブラシ殺菌洗浄器。
【請求項２】
前記歯ブラシ入れの中に、歯ブラシをそれぞれ分けて差し込むことの出来る歯ブラシホルダーを設けてもよいことを特徴とする請求項１に記載のマルチ用途歯ブラシ洗浄器。
【請求項３】
前記温度コントロール・スイッチのリセットボタンには、防水キャップを被せ、水が温度コントロール・スイッチの中に浸入し、温度コントロール・スイッチを無効にすることを避けるようにしたことを特徴とする請求項１に記載のマルチ用途歯ブラシ洗浄器。
【考案の詳細な説明】
【技術分野】
【０００１】
本考案は、マルチ用途歯ブラシ殺菌洗浄器に関するものであって、特に、自動的にシャットダウンできる手動リセット式温度コントロール・スイッチによって、台座本体内の蒸気発生装置で蒸気を発生させ、台座本体上にセットされた置き換え可能な歯ブラシ入れ又は美顔器に対して歯ブラシの殺菌又は美顔作用を行うものである。
【背景技術】
【０００２】
歯ブラシを使用した後は、ブラシに垢が溜まり易いのみならず、しかも通常は乾燥しないまま比較的湿気の多い洗面所・風呂場に置かれ、つもり積もってバイキンが発生しやすく、人体の健康に害を及ぼす；又、現在歯ブラシ殺菌洗浄器の類似商品が市販されてはいるが、ユーザーが使用するに当たって少なくとも下記の欠点がある。
１.従来のスチーム器で蒸氣殺菌を行う時は、時間の設定に一般のタイマー・スイッチを採用しているので、ユーザーは使用中にスチーム器内の残存水量が完全に蒸発したかどうか知る事が出来ず、蒸気鍋の中に水がない場合も、ヒーターが持続加熱し、危険性が高まり、器具も過熱によって損壊し易く、使用寿命が短くなり易い。
２.従来のスチーム器は、一般に歯ブラシ殺菌の用途しかなく、その他の関連用途がない、そして、婦女が美顔器或は鼻の毛穴ケア器を求めるのは、水蒸気美顔方式によって顔部又は鼻の毛穴内の垢を除くためであり、従来のスチーム器及び美顔（鼻）器の両方とも、水を加熱して水蒸気を発生させるタイプであるが、両者間では簡単に置き換え使用する事が出来ず、消費者の器具を購入する費用負担が増加し、且つ置き場所も増え、消費者の使用意欲にとっては有利ではない。
３．又、従来のスチーム器は、使用中に、水蒸気又は水滴が外部へ流れたり器具の内部へ浸透したりし易く、使用中及び使用後の掃除に不便であり、且つ器具内部に浸透水が残留して乾燥を保てなければ、バイキンが発生し易く、却ってユーザーの本来の殺菌目的に反することになる。
以上でわかるように、上述従来の物品には、尚幾多の欠点があり、良い設計とは言いがたく、改良が待たれていた。
本考案者は、上述従来型スチーム器に派生する各項の欠点に鑑み、極力新規改良を試み、且つ長年苦心研鑚の結果、遂に本件のマルチ用途歯ブラシ殺菌洗浄器の研究開発に成功した。
【考案の開示】
【考案が解決しようとする課題】
【０００３】
本考案の目的は、ヒーターが設定温度に達しとき、直ちに温度コントロール・スイッチによって自動的にヒーターをシャットダウンし、人員が温度コントロール・スイッチを手動でリセットした後、初めて前記ヒーターを改めて加熱し、安全に使用する事のできるマルチ用途歯ブラシ殺菌洗浄器を提供することにある。
本考案のもう一つの目的は、ヒューズによって二次的安全策としての保護を行い、万一温度コントロール・スイッチが損壞した場合も、ヒューズによってシャットダウンの機能を果たすことの出来るマルチ用途歯ブラシ殺菌洗浄器を提供することにある。
本考案の又もう一つの目的は、歯ブラシ入れの底辺に導流孔を設け、蒸気の凝結水を蒸気鍋へ導流して再蒸発を行う事によって、周辺環境の乾燥を保てるマルチ用途歯ブラシ殺菌洗浄器を提供することにある。
本考案の更にもう一つの目的は、歯ブラシ殺菌のほかに、美顔機や鼻の毛穴ケア器としても使えるマルチ用途歯ブラシ殺菌洗浄器を提供することにある。
【課題を解決するための手段】
【０００４】
上記のような従来の課題を決定した本願の第一の考案は、少なくとも位置決め柱を結合した台座と、鍋本体の上に鍋蓋を被せ、前記鍋蓋上に上方向の噴水口を有するノズルを結合した注水口を設け、前記鍋蓋の片側には、電源コード及びリセットボタン付の温度コントロール・スイッチを連結した結合プレートを設けた、蒸気鍋と、蒸気鍋と台座とが一定の間隔を持つように設置した、位置決め柱と、蒸気鍋と台座との間に位置し、蒸気鍋の底面に当接し、温度コントロール・スイッチと連接し、温度コントロール・スイッチによってオン・オフを制御が可能な、ヒーターと、蒸気鍋の鍋本体底辺に位置付け、ヒーターと電気的に接続した温度ヒューズと、下方結合部を備え、前記ノズルがその中に突出した結合スロットと、片側に貫通孔と、前記貫通孔から突出したリセットボタンとを有し、台座上に搭載した、台座本体と、結合可能な上部カバーと下部カバーとを有し、下部カバーの底辺部には台座本体の結合機構に対応した上方結合部を設け、前記結合スロットに直立設置可能で、且つ下部カバー底辺には少なくとも周辺に導孔を環設したオープンスロットを設け、前記オープンスロットがノズルと対応するようにした、歯ブラシ入れと、を有し、前記ヒーターを設定温度まで加熱すると、温度コントロール・スイッチが直ちに自動的にヒーターを停止し、リセットボタンをリセットすることによってのみ、ヒーターの再度加熱が可能となり、温度コントロール・スイッチに問題が生じた場合は、温度ヒューズによってヒーターを停止し、二重安全対策とすることを特徴とする、マルチ用途歯ブラシ殺菌洗浄器である。
【０００５】
本願の第二の考案は、前記第一の考案に係るマルチ用途歯ブラシ洗浄器において、前記歯ブラシ入れの中に、歯ブラシをそれぞれ分けて差し込むことの出来る歯ブラシホルダーを設けてもよいことを特徴とする。
【０００６】
本願の第三の考案は、前記第一の考案に係るマルチ用途歯ブラシ洗浄器において、本願の台前記温度コントロール・スイッチのリセットボタンには、防水キャップを被せ、水が温度コントロール・スイッチの中に浸入し、温度コントロール・スイッチを無効にすることを避けるようにしたことを特徴とする。
【０００７】
上述実用新案の目的を達成できるマルチ用途歯ブラシ殺菌洗浄器は、内部に歯ブラシを入れることの出来る歯ブラシ入れ又は美顔器（又は鼻の毛穴ケア器）と、内部に蒸気鍋を設けた台座本体及び温度コントロール・スイッチとによって構成され；前記歯ブラシ入れ又は美顔器（又は鼻の毛穴ケア器）は、いずれも台座本体の上のオープンスロットに合わせて、同じ構造の底辺部を設け、必要に応じて前記台座本体のオープンスロットの中に置き換えセットすることが出来る；前記蒸気鍋は、オープンスロットの下方に設けられ、且つ蒸気鍋の上蓋には回転ツマミ式可動ノズルをオープンスロットに対向して結合し、回転ツマミを開いて、水を蒸気鍋の中にいれ、或は回転ツマミを閉じて、前記蒸気鍋において発生した高温蒸気が前記回転ツマミ式ノズルを経由して上に向かって噴出し、オープンスロットの中の歯ブラシ入れ又は美顔器（又は鼻の毛穴ケア器）の中に入り、且つ前記歯ブラシ入れ又は美顔器（又は鼻の毛穴ケア器）内の蒸水滴は、下方に向かって蒸気鍋へ流れ込み、台座本体の中又は外へ流れることを避けることが出来る；更に、温度コントロール・スイッチ及び温度ヒューズによって、蒸気鍋の中に水がなくなった場合、自動的にシャットダウンする二重安全対策の機能を果たす事によって、本考案はマルチ用途の、便利で清潔且つ安全な使用効果を達成できる。
【考案の効果】
【０００８】
本考案が提供するマルチ用途歯ブラシ殺菌洗浄器は、その他の従来技術に比べ、更に下記の長所がある。
１．本考案においては、ヒーターが所定の温度に達したとき、直ちに温度コントロール・スイッチによって自動的にヒーターをシャットダウンし、前記ヒーターを改めて加熱するときは、手動で温度コントロール・スイッチをリセットした後、前記ヒーターを再度加熱させて安全使用の目的を達成する。
２．本考案では、ヒューズによって二重安全対策としての保護を行い、万一温度コントロール・スイッチに問題が生じた場合も、ヒューズによって自動シャットダウンの機能を果たすことが出来る。
３．本考案では、歯ブラシ入れの底辺に導流孔を設け、蒸気の凝結水を蒸気鍋へ導流して戻し、再度蒸発させる事によって、周囲環境の乾燥を保つようにしてある。
４．本考案では、歯ブラシの殺菌用途の他、同時に美顔器及び鼻の毛穴ケア器などマルチ用途を備えている。
上述の詳細な説明は本考案の実施可能な実施形態の具体的説明であり、ただしこの実施例は本考案の特許請求範囲を制限するものではなく、凡そ本考案の技芸精神を逸脱せずなされる同等効果の実施又は変更は、全て本考案の特許請求範囲内に含まれるものとする。
【考案を実施するための最良の形態】
【０００９】
図１〜４は、本考案に係るマルチ用途の歯ブラシ殺菌洗浄器である。主として、少なくとも二つ以上の位置決めスロット１１を設けた台座１と、前記位置決めスロット１１には位置決め柱１２を設置し、先端部が位置決めスロット１１の外部へ露出している前記位置決め柱１２と、鍋蓋２１及び鍋本体２２を含む。蒸気鍋２と、前記鍋蓋２１には、中央に注水口２１２を設置した凹部２１１がある。前記注水口２１２の壁面上にはメネジ２１３が設置され、且つ前記鍋蓋２１の一端から結合プレート２３が延伸し、前記結合プレート２３の上半面には電源コード４と連接した温度コントロール・スイッチ３があり、且つ前記温度コントロール・スイッチ３にはリセットボタン３１が設けてある。前記鍋本体２２の底辺には台座１の位置決めスロット１１にそれぞれ対応した少なくとも二つ以上の固定スロット２２１が設けられ、前記鍋蓋２１を鍋本体２２の頂上面にかぶせて鍋本体２２を密封することによって、蒸気鍋２を形成し、水は鍋蓋２１の注水口２１２を経由して鍋本体２２へ注入される。台座１の位置決め柱１２の先端部位を蒸気鍋２の鍋本体２２底辺の固定スロット２２１の中へ挿入して前記蒸気鍋２を台座１の上に結合して位置決めし、且つ台座１との間に一定の距離を保ち、熱源が台座１の上に伝わらないようにしてある。ほぼＵ字形をなし、温度コントロール・スイッチ３と接続され、温度コントロール・スイッチの制御によって開閉できるヒーター５と、前記ヒーター５は蒸気鍋２及び台座１の中間に置かれ、蒸気鍋２の鍋本体２２底辺と接触させ、蒸気鍋２の加熱を行う。位置決めプレート３３によって蒸気鍋２の鍋本体２２の底辺側に位置付けされ、且つヒーター５と電気的に連接した温度ヒューズ３２により、前記温度ヒューズ３２が焼けた場合は、直ちにヒーター５をシャットダウンさせることが出来る。先端に噴水口６１を設けたノズル６と、前記ノズル６の内部は錐状をなして噴水６１の噴水圧力を強化し、且つノズル６の底辺部位の外部表面上にオネジ６２が設けられている。
前記ノズル６の底辺部位のオネジ６２と鍋蓋２１の注水口２１２のメネジ２１３とをネジ合わせ、ノズル６を鍋蓋２１の注水口２１２の上に位置決めして注水口２１２を密閉させ、且つノズル６と注水口２１２の結合部の間に防水パッキング６３を設け、ノズル６が一層鍋蓋２１の注水口２１２を密閉できるようにしてある。中央部位に結合スロット７１を設けた台座本体７と、前記結合スロット７１の対応壁面にはそれぞれスロット７２が設置され、前記スロット７２の底辺側には垂直に止めスロット７３が延伸し、且つ台座本体７の片方には貫通孔７４が設けてある。前記台座本体７を台座１の上に結合して台座本体７の結合スロット７１と鍋蓋２１の凹部２１１を対応させ、且つその結合部に防水パッキング７５を設け、鍋蓋２１と台座本体２２の結合スロット７１底辺を一層緊密に結合させてある。そして、台座本体７側の貫通孔７４は温度コントロール・スイッチ３のリセットボタン２１を突き出させ、且つリセットボタン３１の上に防水キャップ３４をセットする事によって、水が温度コントロール・スイッチ３の中に浸入し、温度コントロール・スイッチを損壊させることを避けることができる。上部カバー８１と下部カバー８２によって構成された歯ブラシ入れ８と、を含む。
【００１０】
前記上部カバー８１と下部カバー８２は相互に緊密に嵌合し、且つ歯ブラシ入れ８の中に歯ブラシホルダー８３をセットすることによって、歯ブラシを歯ブラシ入れ８に入れて置く時それぞれ分けておくことができる。更に、歯ブラシ入れ８の下部カバー８２の底辺に底辺部８２１を設け、前記底辺部８２１に対応する両側にはそれぞれロック部品８２１１が延伸し、且つ下部カバー８２の中央部には、周囲に数個の導孔８２３を環設したオープンスロット８２２が下へ向かって延伸している。前記歯ブラシ入れ８下部カバー８２のロック部品８２１１は台座本体結合スロット７１の壁面スロット７２によって結合スロット７１に嵌り、歯ブラシ入れ８を水平方向に回転させることによって、ロック部品８２１１をスロット７２底辺の止めスロット７３にはめ込んで歯ブラシ入れ８を位置決めし、前記ノズル６と歯ブラシ入れ８の下部カバーオープンスロット８２２とを対応させることが出来る。
図５Ａ／Ｂは、本考案の操作を示す図であり、歯ブラシ９１の消毒・殺菌を行う場合、先ず前記歯ブラシ９１をハブラシ入れ８内の歯ブラシホルダー８３に置き、且つ歯ブラシ入れ８を台座本体７の結合スロット７１にセットする；ヒーター５が蒸気鍋２に対して加熱するとき、前記蒸気鍋２の鍋本体２２の中に入れられた水９２が高温の影響で蒸発して水蒸気９２１となり、前記水蒸気９２１はノズル６の噴水口６１を経由して歯ブラシ入れ８のオープンスロット８２２へ向かって噴出し、歯ブラシ９１に対して高温消毒・殺菌を行い、且つ前記水蒸気９２１が歯ブラシ入れ８の内部で形成した凝結水９２２は歯ブラシ入れ８下部カバー８２の導孔８２３によって蒸気鍋２の鍋蓋凹部２１１の中へ戻されて再蒸発し、外部へ流れて周囲の環境に湿気をもたらすことを避けることが出来る；又、温度コントロール・スイッチ３は、ヒーター５が設定温度まで加熱したことを探知すると、直ちに自動的にヒーター５をシャットダウンし、ヒーター５が持続加熱して危険な状態が発生することを避ける；ヒーター５を再度加熱させる場合は、手動方式で温度コントロール・スイッチ３のリセットボタン３１を押す事によって初めて再度加熱を行うことが出来る；更に、温度コントロール・スイッチが損壊し、前記蒸気鍋２内の温度が異常になった場合、温度ヒューズ３２を二重安全対策として、自動的にヒーター５をシャットダウンし、二重の保護を行い、安全使用の目的を達成出来る。
【００１１】
本考案は、歯ブラシの消毒・殺菌を行うほか、図６・７に示すように、顔や鼻のスチーム器としても使え、必要に応じて、別途美顔器９３（図６）又は鼻の毛穴ケア器９４（図７）を歯ブラシ入れ８の代わりに取り付けることも出来る；前記美顔器９３又は鼻の毛穴ケア器９４の底辺部は台座本体７の結合スロット７１の構造に合わせて設計され、美顔器９３又は鼻の毛穴ケア器９４が底辺部によって前記結合スロット７１にはめ込まれ、台座本体７の上に安定して直立し、且つ蒸気鍋２で作られた水蒸気９２１をノズル６を経由して上に向かって噴出させ、美顔器９３又は鼻の毛穴ケア器９４内部に入れ、ユーザーが美顔又は鼻の毛穴ケアを行えるようにする。
【００１２】
尚、ユーザーが使用中に、蒸気鍋２に水を追加する場合は、先ず歯ブラシ入れ８（又は美顔器９３或は鼻の毛穴ケア器９４）を取り除き、ノズル６を外部へ露出させなければならない、この時、ユーザーは水蒸気９２１が持続してノズル６の噴水口６１から上に向って噴出しているかどうかを明確に知り、先ず電源を切るように注意し、回転ツマミを廻してノズル６を開き、注水口２１２から蒸気鍋２の鍋本体２２へ水を追加し、高温蒸気によって焼けどすることを避け、安全使用の目的を達成することが出来る。
【図面の簡単な説明】
【００１３】
【図１】本考案に係るマルチ用途歯ブラシ殺菌洗浄器のスチーム器本体の分解図である。
【図２】本考案に係るマルチ用途歯ブラシ殺菌洗浄器のスチーム器本体の斜視図である。
【図３】本考案に係るマルチ用途歯ブラシ殺菌洗浄器の歯ブラシ入れ分解表示図である。
【図４】本考案に係るマルチ用途歯ブラシ殺菌洗浄器の斜視図である。
【図５Ａ】本考案に係るマルチ用途歯ブラシ殺菌洗浄器の操作表示図である。
【図５Ｂ】本考案に係るマルチ用途歯ブラシ殺菌洗浄器の操作表示図である。
【図６】本考案に係るマルチ用途歯ブラシ殺菌洗浄器の別の実施例表示図である。
【図７】本考案に係るマルチ用途歯ブラシ殺菌洗浄器の又別の実施例表示図である。
【符号の説明】
【００１４】
１    台座
１１  位置決めスロット
１２  位置決め柱
２  蒸気鍋
２１  鍋蓋
２１１  凹部
２１２  注水口
２１３  メネジ
２２  鍋本体
２２１  固定スロット
２３  結合プレート
３  温度コントロール・スイッチ
３１  リセットボタン
３２  温度ヒューズ
３３  位置決めプレート
３４  防水キャップ
４  電源コード
５  ヒーター
６  ノズル
６１  噴水口
６２  オネジ
６３  防止パッキング
７  台座本体
７１  結合部
７２  スロット
７３  止めスロット
７４  貫通孔
７５  防水パッキング
８  歯ブラシ入れ
８１  上部カバー
８２  下部カバー
８２１  底辺部
８２１１  ロック部品
８２２  オープンスロット
８２３  導孔
８３  歯ブラシホルダー
９１  歯ブラシ
９２  水
９２１  水蒸気
９２２  凝結水
９３  美顔器
９４  鼻の毛穴ケア器
【図１】
0003107488.tif 000003
【図２】
0003107488.tif 000004
【図３】
0003107488.tif 000005
【図４】
0003107488.tif 000006
【図５Ａ】
0003107488.tif 000007
【図５Ｂ】
0003107488.tif 000008
【図６】
0003107488.tif 000009
【図７】
0003107488.tif 000010